(57)【要約】【課題】ユーザにとって利便性良く、表示情報の拡大又は縮小を行うことができる携帯端末を提供することを目的とする。【解決手段】サイズ検出部１３が、カメラ１１によって撮像されたユーザの顔の画像よりユーザの顔の輪郭のサイズを検出する。比較部１５が、基準値と、サイズ検出部１３で検出されたユーザの顔の輪郭のサイズとを比較する。サイズ検出部１３で検出されたユーザの顔の輪郭のサイズが基準値よりも大きい場合、表示制御部１６１は、タッチパネル型ディスプレイ１７に表示する表示情報を縮小して表示する。サイズ検出部１３で検出されたユーザの顔の輪郭のサイズが基準値よりも小さい場合、表示制御部１６１は、タッチパネル型ディスプレイ１７に表示する表示情報を拡大して表示する。【選択図】図１
2013196140.tif 000002
【特許請求の範囲】
【請求項１】
表示部を備えた携帯端末であって、
ユーザの顔との距離を測定する距離測定手段と、
前記距離測定手段による測定結果に基づいて、前記表示部に表示される表示情報の拡大又は縮小を行う表示制御手段と、
を備える携帯端末。
【請求項２】
前記距離測定手段は、
前記ユーザの顔を撮像するカメラと、
前記カメラで撮像された前記ユーザの顔の輪郭の大きさに基づいて、前記ユーザの顔との距離を求める距離演算手段と、
を備え、
前記表示制御手段は、前記距離演算手段によって求められた前記ユーザの顔との距離に基づいて、前記表示部に表示される表示情報の拡大又は縮小を行う、
請求項１に記載の携帯端末。
【請求項３】
前記距離測定手段は、
前記ユーザの顔に向けて赤外線を照射する赤外線デバイスと、
前記赤外線デバイスによる赤外線の照射結果に基づいて前記ユーザの顔との距離を求める距離演算手段と、
を備え、
前記表示制御手段は、前記距離演算手段によって求められた前記ユーザの顔との距離に基づいて、前記表示部に表示される表示情報の拡大又は縮小を行う、
請求項１に記載の携帯端末。
【請求項４】
前記表示部は、タッチパネル型ディスプレイであることを特徴とする請求項１〜３のいずれか一項に記載の携帯端末。
【請求項５】
表示部を備えた携帯端末において実行される表示制御方法であって、
前記携帯端末とユーザの顔との距離を測定する距離測定ステップと、
前記距離測定ステップにおける測定結果に基づいて、前記表示部に表示される表示情報の拡大又は縮小を行う表示制御ステップと、
を含む表示制御方法。
【発明の詳細な説明】
【技術分野】
【０００１】
本発明は、表示部を備えた携帯端末、及び、表示部に表示される表示情報の表示制御方法に関する。
【背景技術】
【０００２】
従来、画像や文字等の表示情報を表示する表示部を備えた携帯端末がある。このような携帯端末では、携帯端末に備えられたボタンの操作により、表示部に表示される画像や文字等の表示情報を拡大又は縮小することで、表示情報を見るユーザの利便性を向上させることが行われている。また、表示部として、タッチパネル型ディスプレイを用いた携帯端末がある。このような携帯端末では、タッチパネル型ディスプレイを指でダブルタッピングしたり、ピンチと呼ばれるジェスチャー操作を行ったりすることで、タッチパネル型ディスプレイに表示される表示情報の拡大又は縮小が可能となっている。例えば、特許文献１には、タッチパネル型ディスプレイを押下した時の押下面積に基づいて、表示情報の拡大又は縮小を行うことが記載されている。
【先行技術文献】
【特許文献】
【０００３】
【特許文献１】特開２０１１−１２３５７５号公報
【発明の概要】
【発明が解決しようとする課題】
【０００４】
しかしながら、表示部に表示される表示情報を拡大又は縮小させる際に、ユーザによるボタン操作、又はタッチパネル型ディスプレイの操作が必要となるが、この表示情報の拡大又は縮小を、より利便性良く行うことが求められている。
【０００５】
そこで本発明は、ユーザにとって利便性良く、表示情報の拡大又は縮小を行うことができる携帯端末及び表示制御方法を提供することを目的とする。
【課題を解決するための手段】
【０００６】
本発明に係る携帯端末は、表示部を備えた携帯端末であって、ユーザの顔との距離を測定する距離測定手段と、距離測定手段による測定結果に基づいて、表示部に表示される表示情報の拡大又は縮小を行う表示制御手段と、を備える。
【０００７】
また、本発明に係る表示制御方法は、表示部を備えた携帯端末において実行される表示制御方法であって、ユーザの顔との距離を測定する距離測定ステップと、距離測定ステップにおける測定結果に基づいて、表示部に表示される表示情報の拡大又は縮小を行う表示制御ステップと、を含む。
【０００８】
これらの発明では、携帯端末とユーザの顔との距離に基づいて、表示部に表示される表示情報の拡大又は縮小が行われる。このように、表示情報の拡大又は縮小を行う場合に、ユーザが指で拡大又は縮小の操作を行う必要がないので、表示情報の拡大又は縮小を、直感的な操作（携帯端末を顔に近づける、又は、遠ざける操作）によって、より利便性良く行うことができる。
【０００９】
また、距離測定手段は、ユーザの顔を撮像するカメラと、カメラで撮像されたユーザの顔の輪郭の大きさに基づいて、ユーザの顔との距離を求める距離演算手段と、を備え、表示制御手段は、距離演算手段によって求められたユーザの顔との距離に基づいて、表示部に表示される表示情報の拡大又は縮小を行う、ことが好ましい。この場合には、携帯端末に設けられたカメラで撮像されたユーザの顔の輪郭に基づいて、携帯端末とユーザの顔との距離を求めることができる。従って、携帯端末とユーザの顔との距離を測定するための特別な装置を搭載する必要がなく、簡素な構成とすることができる。
【００１０】
また、距離測定手段は、ユーザの顔に向けて赤外線を照射する赤外線デバイスと、赤外線デバイスによる赤外線の照射結果に基づいてユーザの顔との距離を求める距離演算手段と、を備え、表示制御手段は、距離演算手段によって求められたユーザの顔との距離に基づいて、表示部に表示される表示情報の拡大又は縮小を行う、ことが好ましい。この場合には、携帯端末に設けられた赤外線デバイスを用いて、携帯端末とユーザの顔との距離を容易に測定することができる。
【００１１】
また、表示部は、タッチパネル型ディスプレイであることが好ましい。この場合には、表示情報の拡大又は縮小を行うために、ユーザがタッチパネル型ディスプレイを指で操作する必要がないので、タッチパネル型ディスプレイが手で覆われることによって表示情報の視認性が低下するといったことがない。また、タッチパネル型ディスプレイを指で操作することによって表示情報の拡大又は縮小を行う場合には、一方の手で携帯端末を支持し、他方の手の指でタッチパネル型ディスプレイを操作する必要があるが、本発明では、タッチパネル型ディスプレイの表示の拡大又は縮小を行う場合に両手を使う必要がない。このようにタッチパネル型ディスプレイを備えた携帯端末であっても、表示情報の拡大又は縮小をユーザにとって利便性良く行うことができる。
【発明の効果】
【００１２】
本発明によれば、ユーザにとって利便性良く、表示情報の拡大又は縮小を行うことができる。
【図面の簡単な説明】
【００１３】
【図１】第１実施形態に係る携帯端末の全体構成を示す図である。
【図２】ユーザの顔と携帯端末との位置関係を示す図であり、（ａ）はユーザの顔と携帯端末との位置関係、（ｂ）はユーザの顔の輪郭のサイズの変化を示す図である。
【図３】表示情報の例を示す図であり、（ａ）は縮小して表示した例、（ｂ）は拡大して表示した例を示す図である。
【図４】ユーザの顔の輪郭のサイズを基準値として決定する処理の流れを示すフローチャートである。
【図５】表示情報の拡大又は縮小を行う処理の流れを示すフローチャートである。
【図６】第２実施形態に係る携帯端末の全体構成を示す図である。
【図７】ユーザの顔との距離を基準値として決定する処理の流れを示すフローチャートである。
【図８】表示情報の拡大又は縮小を行う処理の流れを示すフローチャートである。
【発明を実施するための形態】
【００１４】
添付図面を参照しながら本発明に係る携帯端末及び表示制御方法を適用した実施形態を説明する。
【００１５】
（第１実施形態）
まず、第１実施形態について説明する。図１に示すように、携帯端末１は、カメラ（距離測定手段）１１、カメラ制御部１２、サイズ検出部（距離演算手段）１３、基準値決定部１４、比較部１５、プログラム実行部１６、タッチパネル型ディスプレイ（表示部）１７、基準値格納部１８を含んで構成される。なお、携帯端末１は、機能部の詳細な図示は省略するが、通話やメールの送受信等を行う機能を有する。以下では、タッチパネル型ディスプレイ１７に表示される表示情報の拡大又は縮小の制御について詳細に説明する。
【００１６】
カメラ１１は、携帯端末１の前面（携帯端末１を利用するユーザに対向する面）に設けられ、ユーザの顔を撮像可能となっている。このカメラ１１として、携帯端末１に搭載されたフロントカメラを用いることができる。
【００１７】
カメラ制御部１２は、カメラ１１を制御するものである。カメラ制御部１２は、基準値決定部１４又はプログラム実行部１６からの指示に基づき、カメラ１１を用いたユーザの顔の撮像を行う。
【００１８】
サイズ検出部１３は、カメラ１１によって撮像された画像より、ユーザの顔の輪郭のサイズを検出する。この顔の輪郭の検出方法として、既存の様々な画像処理方法等を用いることができる。
【００１９】
基準値決定部１４は、サイズ検出部１３によって検出されたユーザの顔の輪郭のサイズを基準値として決定し、基準値格納部１８に格納する。具体的には、基準値決定部１４は、ユーザの輪郭のサイズの基準値を決定するための基準値決定モードにおいて、サイズ検出部１３によって検出されたユーザの顔の輪郭のサイズを基準値として決定する旨の指示をユーザから受けた場合に、当該顔の輪郭のサイズを基準値として決定する。このユーザからの指示は、例えばタッチパネル型ディスプレイ１７を通じて受け付けられる。
【００２０】
ここで、基準値決定モードとは、タッチパネル型ディスプレイ１７に表示する表示情報の拡大又は縮小の処理を行う前に、予め実行されるモードである。この基準値決定モードで決定された基準値を用いて、表示情報の拡大又は縮小を行う画面自動ズームモードの実行時に、表示情報の拡大又は縮小が行われる。この画面自動ズームモードは、例えば、メールの閲覧やインターネット情報の閲覧時等に実行され、メールの文章の拡大又は縮小、インターネット情報の拡大又は縮小を行う。
【００２１】
比較部１５は、画面自動ズームモードの実行時にサイズ検出部１３によって検出されたユーザの顔の輪郭のサイズと、基準値設定モードにおいて決定されて基準値格納部１８に格納された基準値と、を比較し、基準値よりもサイズ検出部１３によって検出されたユーザの顔の輪郭のサイズが大きいか否かを判断する。
【００２２】
ここで、カメラ１１によって撮像された画像において、携帯端末１のカメラ１１がユーザの顔に近いほど、ユーザの顔が大きく写る。例えば、図２（ａ）に示すように、携帯端末１が位置Ｐ２よりもユーザＡの顔に近い位置Ｐ１にある場合、図２（ｂ）に示すように、カメラ１１の撮像画像Ｗは、携帯端末１が位置Ｐ１にある場合の顔の輪郭Ｙ２よりも、携帯端末１が位置Ｐ１にある顔の輪郭Ｙ１の方がサイズが大きくなる。従って、基準値と、サイズ検出部１３によって検出されたユーザの顔の輪郭のサイズとを比較することで、携帯端末１とユーザの顔との距離が近いか、又は、離れているかを求めることができる。
【００２３】
プログラム実行部１６は、メールの閲覧機能やインターネット情報の閲覧機能等を実行し、タッチパネル型ディスプレイ１７に表示する表示情報を生成する。また、プログラム実行部１６は、表示制御部（表示制御手段）１６１を備えている。表示制御部１６１は、タッチパネル型ディスプレイ１７に表示する表示情報の拡大、又は縮小の制御を行うものである。また、表示制御部１６１は、表示情報の拡大、又は縮小の制御を行う際に、画面自動ズームモードを起動させる。この画面自動ズームモードは、表示制御部１６１が自動的に起動させてもよく、ユーザからの指示によって起動してもよい。
【００２４】
この画面自動ズームモードの起動により、カメラ１１によってユーザの顔の撮像が行われ、サイズ検出部１３によってユーザの顔の輪郭のサイズが検出される。そして、比較部１５において、サイズ検出部１３によって検出されたユーザの顔の輪郭のサイズと、基準値格納部１８に格納された基準値と、の比較が行われる。
【００２５】
表示制御部１６１は、比較部１５によって、基準値よりもサイズ検出部１３によって検出されたユーザの顔の輪郭のサイズが大きいと判断された場合（即ち、携帯端末１とユーザの顔との距離が近い場合）、タッチパネル型ディスプレイ１７に表示する表示情報を図３（ａ）に示すように縮小して表示する。反対に、表示制御部１６１は、比較部１５によって、基準値よりもサイズ検出部１３によって検出されたユーザの顔の輪郭のサイズが小さいと判断された場合（即ち、携帯端末１とユーザの顔との距離が遠い場合）、タッチパネル型ディスプレイ１７に表示する表示情報を図３（ｂ）に示すように拡大して表示する。
【００２６】
タッチパネル型ディスプレイ１７は、表示制御部１６１によって拡大又は縮小の制御が行われた表示情報を表示する。また、タッチパネル型ディスプレイ１７は、ユーザのタッチ操作を検出することができる。このタッチパネル型ディスプレイ１７によるタッチ操作の検出結果に基づいて、プログラム実行部１６がメール閲覧等の各種の処理を行う。
【００２７】
基準値格納部１８は、基準値決定部１４によって決定されたユーザの顔の輪郭のサイズの基準値を、ユーザ毎に格納する。詳細には、基準値格納部１８は、顔の輪郭のサイズの基準値に、ユーザ名（ユーザＩＤ）を対応付けて格納する。
【００２８】
［基準値決定モードの処理の流れ］
次に、基準値決定モードにおいて、ユーザの顔の輪郭のサイズを基準値として決定する処理の流れについて説明する。なお、この基準値決定モードは、例えば、携帯端末１の起動時等、所定のタイミングや、ユーザからの指示に基づいて行われる。まず、基準値決定部１４が、カメラ制御部１２に対してユーザの顔の撮像を指示する。これにより、図４に示すように、カメラ制御部１２がカメラ１１を制御することで、カメラ１１によるユーザの顔の撮像が行われる（ステップＳ１０１）。
【００２９】
次に、サイズ検出部１３が、カメラ１１によって撮像された画像より、ユーザの顔の輪郭のサイズを検出する（ステップＳ１０２）。次に、基準値決定部１４は、検出されたユーザの顔の輪郭のサイズを基準値として決定するか否かの指示をユーザから受け付ける（ステップＳ１０３）。ユーザより、基準値として決定する旨の指示を受けた場合（ステップＳ１０３：ＹＥＳ）、基準値決定部１４は、検出されたユーザの顔の輪郭のサイズを基準値として決定し、基準値格納部１８に格納する。
【００３０】
一方、ユーザより、基準値として決定しない旨の指示を受けた場合（ステップＳ１０３：ＮＯ）、基準値決定部１４は、再度、カメラ制御部１２に対してユーザの顔の撮像を指示し、カメラ１１によるユーザの顔の撮像を行う（ステップＳ１０１）。このように、検出されたユーザの顔の輪郭のサイズが基準値として決定されるまで、上述の処理を繰り返し行う。
【００３１】
［画面自動ズームモードの処理の流れ］
次に、画面自動ズームモードにおいて、表示情報の拡大又は縮小を行う処理の流れについて説明する。画面自動ズームモードの起動時に表示制御部１６１が、カメラ制御部１２に対してユーザの顔の撮像を指示する。これにより、図５に示すように、カメラ制御部１２がカメラ１１を制御することで、カメラ１１によるユーザの顔の撮像が行われる（ステップＳ２０１）。
【００３２】
次に、サイズ検出部１３が、カメラ１１によって撮像された画像より、ユーザの顔の輪郭のサイズを検出する（ステップＳ２０２）。次に、比較部１５は、サイズ検出部１３によって検出されたユーザの顔の輪郭のサイズが、基準値格納部１８に格納された基準値よりも大きいか否かを判断する（ステップＳ２０３：距離検出ステップ）。なお、比較部１５が基準値格納部１８から基準値を取得する前に、予め携帯端末１を利用しているユーザ名が比較部１５に入力されているものとし、このユーザ名に対応する基準値を比較部１５が基準値格納部１８から取得する。
【００３３】
検出されたユーザの顔の輪郭のサイズが基準値よりも大きい場合（ステップＳ２０３：ＹＥＳ）、表示制御部１６１は、タッチパネル型ディスプレイ１７に表示する表示情報を縮小（図３（ａ）参照）して表示する（ステップＳ２０４：表示制御ステップ）。反対に、検出されたユーザの顔の輪郭のサイズが基準値よりも小さい場合（ステップＳ２０３：ＮＯ）、表示制御部１６１は、タッチパネル型ディスプレイ１７に表示する表示情報を拡大（図３（ｂ）参照）して表示する（ステップＳ２０５：表示制御ステップ）。上述した表示の拡大又は縮小の処理は、所定のタイミングで繰り返し行ってもよく、ユーザからの指示に基づいて行ってもよい。
【００３４】
本実施形態は以上のように構成され、携帯端末１とユーザの顔との距離に基づいて、タッチパネル型ディスプレイ１７に表示される表示情報の拡大又は縮小が行われる。このように、表示情報の拡大又は縮小を行う場合に、ユーザが指で拡大又は縮小の操作を行う必要がないので、表示情報の拡大又は縮小を、直感的な操作（携帯端末１を顔に近づける、又は、遠ざける操作）によって、より利便性良く行うことができる。
【００３５】
また、表示情報の拡大又は縮小を行うために、ユーザがタッチパネル型ディスプレイ１７を指で操作する必要がないので、タッチパネル型ディスプレイ１７が手で覆われることによって表示情報の視認性が低下するといったことがない。また、タッチパネル型ディスプレイ１７を指で操作することによって表示情報の拡大又は縮小を行う場合には、一方の手で携帯端末１を支持し、他方の手の指でタッチパネル型ディスプレイ１７を操作する必要があるが、本実施形態では、タッチパネル型ディスプレイ１７の拡大又は縮小を行う場合に両手を使う必要がない。このように本実施形態によれば、表示情報の拡大又は縮小をユーザにとって利便性良く行うことができる。
【００３６】
また、カメラ１１で撮像されたユーザの顔の輪郭の大きさに基づいて、ユーザの顔が携帯端末１に近いか否かを判断することで、携帯端末とユーザの顔との距離を測定するための特別な装置を搭載する必要がなく、簡素な構成とすることができる。
【００３７】
（第２実施形態）
次に、第２実施形態について説明する。第１実施形態ではユーザの顔の輪郭を用いてユーザの顔と携帯端末との距離を把握する場合を説明したが、本実施形態では、ユーザの顔と携帯端末との距離を赤外線デバイスを用いて測定するものである。
【００３８】
図６に示すように、本実施形態に係る携帯端末１Ａは、赤外線デバイス（距離測定手段）２１、赤外線デバイス制御部２２、距離算出部（距離演算手段）２３、基準値決定部２４、比較部２５、プログラム実行部２６、タッチパネル型ディスプレイ（表示部）１７、基準値格納部２８を含んで構成される。なお、携帯端末１Ａは、機能部の詳細な図示は省略するが、第１実施形態の携帯端末１と同様に、通話やメールの送受信等を行う機能を有する。以下では、タッチパネル型ディスプレイ１７に表示される表示情報の拡大又は縮小の制御について詳細に説明する。
【００３９】
赤外線デバイス２１は、携帯端末１Ａの前面（携帯端末１Ａを利用するユーザに対向する面）に設けられ、ユーザの顔に向けて赤外線を照射可能となっている。
【００４０】
赤外線デバイス制御部２２は、赤外線デバイス２１によるユーザの顔へ向けた赤外線の照射の制御を行うものである。赤外線デバイス制御部２２は、基準値決定部２４又はプログラム実行部２６からの指示に基づき、赤外線デバイス２１による赤外線の照射の制御を行う。
【００４１】
距離算出部２３は、赤外線デバイス２１による赤外線の照射結果に基づいて、ユーザの顔との距離を算出する。赤外線デバイス２１を用いた距離の算出方法として、例えば、赤外線デバイスからの赤外線の照射距離に基づいてユーザの顔との距離を算出する等、既存の様々な技術を用いることができる。
【００４２】
基準値決定部２４は、距離算出部２３によって算出されたユーザの顔との距離を基準値として決定し、基準値格納部２８に格納する。具体的には、基準値決定部２４は、ユーザの顔との距離の基準値を決定するための基準値決定モードにおいて、距離算出部２３によって算出されたユーザの顔との距離を基準値として決定する旨の指示をユーザから受けた場合に、当該顔との距離を基準値として決定する。このユーザからの指示は、例えばタッチパネル型ディスプレイ１７を通じて受け付けられる。
【００４３】
ここで、基準値決定モードとは、第１実施形態と同様に、タッチパネル型ディスプレイ１７に表示する表示情報の拡大又は縮小の処理を行う前に、予め実行されるモードである。
【００４４】
比較部２５は、画面自動ズームモードの実行時に距離算出部２３によって算出されたユーザの顔との距離と、基準値設定モードにおいて決定されて基準値格納部２８に格納された基準値と、を比較し、基準値よりも距離算出部２３によって算出されたユーザの顔との距離が遠いか否かを判断する。
【００４５】
プログラム実行部２６は、メールの閲覧機能やインターネット情報の閲覧機能等を実行し、タッチパネル型ディスプレイ１７に表示する表示情報を生成する。また、プログラム実行部２６は、表示制御部（表示制御手段）２６１を備えている。表示制御部２６１は、タッチパネル型ディスプレイ１７に表示する表示情報の拡大、又は縮小の制御を行うものである。また、表示制御部２６１は、表示情報の拡大、又は縮小の制御を行う際に、画面自動ズームモードを起動させる。この画面自動ズームモードは、表示制御部２６１が自動的に起動させてもよく、ユーザからの指示によって起動してもよい。
【００４６】
この画面自動ズームモードの起動により、赤外線デバイス２１を用いたユーザの顔との距離が算出される。そして、比較部１５において、距離算出部２３によって算出されたユーザの顔との距離と、基準値格納部２８に格納された基準値と、の比較が行われる。
【００４７】
表示制御部２６１は、比較部２５によって、基準値よりも距離算出部２３によって算出されたユーザの顔との距離が遠いと判断された場合、タッチパネル型ディスプレイ１７に表示する表示情報を図３（ｂ）に示すように拡大して表示する。反対に、表示制御部２６１は、比較部１５によって、基準値よりも距離算出部２３によって算出されたユーザの顔との距離が近いと判断された場合、タッチパネル型ディスプレイ１７に表示する表示情報を図３（ａ）に示すように縮小して表示する。
【００４８】
タッチパネル型ディスプレイ１７は、第１実施形態と同様に、表示制御部２６１によって拡大又は縮小の制御が行われた表示情報を表示する。また、タッチパネル型ディスプレイ１７は、ユーザのタッチ操作を検出することができる。このタッチパネル型ディスプレイ１７によるタッチ操作の検出結果に基づいて、プログラム実行部２６がメール閲覧等の各種の処理を行う。
【００４９】
基準値格納部２８は、基準値決定部２４によって決定されたユーザの顔との距離の基準値を、ユーザ毎に格納する。詳細には、基準値格納部２８は、顔との距離の基準値に、ユーザ名（ユーザＩＤ）を対応付けて格納する。
【００５０】
［基準値決定モードの処理の流れ］
次に、基準値決定モードにおいて、ユーザの顔との距離を基準値として決定する処理の流れについて説明する。なお、この基準値決定モードは、例えば、携帯端末１Ａの起動時等、所定のタイミングや、ユーザからの指示に基づいて行われる。まず、基準値決定部２４が、赤外線デバイス制御部２２に対して赤外線デバイス２１による赤外線の照射を指示する。これにより、図７に示すように、赤外線デバイス制御部２２が赤外線デバイス２１を制御することで、赤外線デバイス２１によるユーザの顔へ向けた赤外線の照射が行われる（ステップＳ３０１）。
【００５１】
次に、距離算出部２３が、赤外線デバイス２１による赤外線の照射結果に基づいて、ユーザの顔との距離を算出する（ステップＳ３０２）。次に、基準値決定部２４は、算出されたユーザの顔との距離を基準値として決定するか否かの指示をユーザから受け付ける（ステップＳ３０３）。ユーザより、基準値として決定する旨の指示を受けた場合（ステップＳ３０３：ＹＥＳ）、基準値決定部２４は、検出されたユーザの顔との距離を基準値として決定し、基準値格納部２８に格納する。
【００５２】
一方、ユーザより、基準値として決定しない旨の指示を受けた場合（ステップＳ３０３：ＮＯ）、基準値決定部２４は、再度、赤外線デバイス制御部２２に対して赤外線デバイス２１による赤外線の照射を指示し、赤外線デバイス２１によるユーザの顔へ向けた赤外線の照射を行う（ステップＳ１０１）。このように、検出されたユーザの顔との距離が基準値として決定されるまで、上述の処理を繰り返し行う。
【００５３】
［画面自動ズームモードの処理の流れ］
次に、画面自動ズームモードにおいて、表示情報の拡大又は縮小を行う処理の流れについて説明する。画面自動ズームモードの起動時に表示制御部２６１が、赤外線デバイス制御部２２に対してユーザの顔へ向けた赤外線の照射を指示する。これにより、図８に示すように、赤外線デバイス制御部２２が赤外線デバイス２１を制御することで、赤外線デバイス２１によるユーザの顔への赤外線の照射が行われる（ステップＳ４０１）。
【００５４】
次に、距離算出部２３が、赤外線デバイス２１による赤外線の照射結果に基づいて、ユーザの顔との距離を算出する（ステップＳ４０２：距離測定ステップ）。次に、比較部２５は、距離算出部２３によって算出されたユーザの顔との距離が、基準値格納部２８に格納された基準値よりも遠いか否かを判断する（ステップＳ４０３）。なお、比較部２５が基準値格納部１８から基準値を取得する前に、予め携帯端末１Ａを利用しているユーザ名が比較部２５に入力されているものとし、このユーザ名に対応する基準値を比較部２５が基準値格納部２８から取得する。
【００５５】
検出されたユーザの顔との距離が基準値よりも遠い場合（ステップＳ４０３：ＹＥＳ）、表示制御部２６１は、タッチパネル型ディスプレイ１７に表示する表示情報を拡大（図３（ｂ）参照）して表示する（ステップＳ４０４：表示制御ステップ）。反対に、検出されたユーザの顔との距離が基準値よりも近い場合（ステップＳ４０３：ＮＯ）、表示制御部２６１は、タッチパネル型ディスプレイ１７に表示する表示情報を縮小（図３（ａ）参照）して表示する（ステップＳ４０５：表示制御ステップ）。上述した表示の拡大又は縮小の処理は、所定のタイミングで繰り返し行ってもよく、ユーザからの指示に基づいて行ってもよい。
【００５６】
本実施形態は以上のように構成され、携帯端末１Ａとユーザの顔との距離に基づいて、タッチパネル型ディスプレイ１７に表示される表示情報の拡大又は縮小が行われる。このように、表示情報の拡大又は縮小を行う場合に、ユーザが指で拡大又は縮小の操作を行う必要がないので、表示情報の拡大又は縮小を、直感的な操作（携帯端末１Ａを顔に近づける、又は、遠ざける操作）によって、より利便性良く行うことができる。
【００５７】
また、表示情報の拡大又は縮小を行うために、ユーザがタッチパネル型ディスプレイ１７を指で操作する必要がないので、タッチパネル型ディスプレイ１７が手で覆われることによって表示情報の視認性が低下するといったことがない。また、タッチパネル型ディスプレイ１７を指で操作することによって表示情報の拡大又は縮小を行う場合には、一方の手で携帯端末１Ａを支持し、他方の手の指でタッチパネル型ディスプレイ１７を操作する必要があるが、本実施形態では、タッチパネル型ディスプレイ１７の表示の拡大又は縮小を行う場合に両手を使う必要がない。このように本実施形態によれば、表示情報の拡大又は縮小をユーザにとって利便性良く行うことができる。
【００５８】
また、赤外線デバイス２１から照射された赤外線に基づいてユーザの顔との距離を算出することで、携帯端末１Ａとユーザの顔との距離を容易に測定することができる。
【００５９】
以上、本発明を実施形態に基づき具体的に説明したが、本発明は上記実施形態に限定されるものではない。例えば、第２実施形態で説明した赤外線デバイス２１を用いてユーザの顔との距離を算出する構成を、第１実施形態に係る携帯端末１に組み込んでもよい。この場合、カメラ１１によって撮像されたユーザの顔の輪郭に基づいて携帯端末１とユーザの顔との距離を求めるか、又は、赤外線デバイス２１から照射された赤外線を用いて携帯端末１とユーザの顔との距離を求めるかを、例えばユーザの選択等により切り替えて実行することができるようにしてもよい。
【００６０】
また、第１実施形態で説明したユーザの顔の輪郭に基づいて携帯端末１とユーザの顔との距離を把握する以外にも、カメラ１１で撮像されたユーザの顔の画像に基づいて他の方法により携帯端末１とユーザの顔との距離を把握する構成であってもよい。
【００６１】
また、本発明は、携帯端末１，１Ａ以外にも、例えば、スマートフォンやタブレット型端末等、各種のデバイスに適用することができる。
【００６２】
また、表示情報を表示する表示部としてタッチパネル型ディスプレイ１７を用いることは必須ではなく、表示機能のみを有するディスプレイであってもよい。
【符号の説明】
【００６３】
１，１Ａ…携帯端末、１１…カメラ（距離測定手段）、１５…比較部（距離演算手段）、１７…タッチパネル型ディスプレイ（表示部）、２１…赤外線デバイス（距離測定手段）、２３…距離算出部（距離演算手段）、１６１，２６１…表示制御部（表示制御手段）。
【図１】
2013196140.tif 000003
【図２】
2013196140.tif 000004
【図３】
2013196140.tif 000005
【図４】
2013196140.tif 000006
【図５】
2013196140.tif 000007
【図６】
2013196140.tif 000008
【図７】
2013196140.tif 000009
【図８】
2013196140.tif 000010